(57)【要約】【課題】下方の商品陳列スペース全体を広範囲に照らすことができる商品陳列棚における照明装置を提供する。【解決手段】棚板の下面側における前部照明装置１４の後方に、複数の発光ダイオードを左右方向に配設した後部照明装置４４を、後部照明装置４４の左右両端に設けた係止部としての係止部材４１，４１を左右一対のブラケット１７，１７に係止することにより取り付けることができるため、商品陳列スペースの後側を明るくすることができ、前部照明装置１４及び後部照明装置４４により商品陳列スペース全体を広範囲に照らすことができる。また、棚板を支持する左右のブラケット１７，１７を利用して係止するだけで簡単に取り付けることができる。【選択図】図６
2009240382.tif 000002
【特許請求の範囲】
【請求項１】
左右一対のブラケットにより棚板の左右両側下面を支持するとともに、該棚板の下面側前部に前部照明装置を設け、該前部照明装置により前記棚板下方の商品陳列スペースの照明を行なうようにした商品陳列棚における照明装置であって、
前記棚板の下面側における前記前部照明装置の後方に、複数の発光ダイオードを左右方向に配設した後部照明装置を、該後部照明装置の左右両端に設けた係止部を前記左右一対のブラケットに係止することにより取り付けたことを特徴とする商品陳列棚における照明装置。
【請求項２】
前記係止部を、前記左右一対のブラケットの上端縁に係止したことを特徴とする請求項１に記載の商品陳列棚における照明装置。
【請求項３】
前記左右一対のブラケットの上端縁に、前記係止部を各々嵌合する凹部を形成したことを特徴とする請求項２に記載の商品陳列棚における照明装置。
【請求項４】
前記後部照明装置の上面と前記棚板の下面との間に隙間を設けたことを特徴とする請求項１ないし３のいずれかに記載の商品陳列棚における照明装置。
【発明の詳細な説明】
【技術分野】
【０００１】
本発明は、左右一対のブラケットにより棚板の左右両側下面を支持するとともに、該棚板の下方前部に前部照明装置を設け、該前部照明装置により前記棚板下方の商品陳列スペースの照明を行なうようにした商品陳列棚における照明装置に関する。
【背景技術】
【０００２】
従来、この種の商品陳列棚における照明装置としては、商品陳列棚の棚板の下面前部に設けた蛍光灯により、該棚板の下方の商品陳列スペースを照明するもの等がある（例えば、特許文献１参照）。
【０００３】
また、オフィス用の棚への使用を主目的とした照明装置として、ＬＥＤ（発光ダイオード）を使用した照明装置を棚板の下面に設け、この棚板の下方を照明するようにしたものがある（例えば、特許文献２参照）。
【０００４】
【特許文献１】特開２００４−１５８３２４号公報（第３頁、第１図）
【特許文献２】特開２００７−２６７２３号公報（第４頁、第２図）
【発明の開示】
【発明が解決しようとする課題】
【０００５】
しかしながら、上記特許文献１に記載の照明装置にあっては、棚板の下面前部に設けられ、かつ、蛍光灯であるため全周方向に均一に光が照射されるため、この棚の下方の商品陳列スペース内は前側が明るく、後側が暗くなるといった問題があった。
【０００６】
また、上記特許文献２に記載の照明装置にあっては、指向性が高い発光ダイオード（ＬＥＤ）を使用していることで、商品陳列スペース全体を照らす広範囲の照明手段としては適さないという問題があった。
【０００７】
本発明は、このような問題点に着目してなされたもので、下方の商品陳列スペース全体を照らすことができる商品陳列棚における照明装置を提供することを目的とする。
【課題を解決するための手段】
【０００８】
上記課題を解決するために、本発明の請求項１に記載の商品陳列棚における照明装置は、
左右一対のブラケットにより棚板の左右両側下面を支持するとともに、該棚板の下面側前部に前部照明装置を設け、該前部照明装置により前記棚板下方の商品陳列スペースの照明を行なうようにした商品陳列棚における照明装置であって、
前記棚板の下面側における前記前部照明装置の後方に、複数の発光ダイオードを左右方向に配設した後部照明装置を、該後部照明装置の左右両端に設けた係止部を前記左右一対のブラケットに係止することにより取り付けたことを特徴としている。
この特徴によれば、前部照明装置の後方に取り付けた後部照明装置により、商品陳列スペースの後側を明るくすることができるため、前部照明装置及び後部照明装置により商品陳列スペース全体を広範囲に照らすことができる。また、後部照明装置を、棚板を支持する左右のブラケットを利用して係止するだけで簡単に取り付けることができるばかりか、発光ダイオードを使用することで後部照明装置自体の上下寸法を薄くすることで、下方の商品陳列スペースに影響することなく、かつ省電化を図ることができる。
【０００９】
本発明の請求項２に記載の商品陳列棚における照明装置は、請求項１に記載の商品陳列棚における照明装置であって、
前記係止部を、前記左右一対のブラケットの上端縁に係止したことを特徴としている。
この特徴によれば、左右一対のブラケットに被係止部等を新たに設けることなく、後部照明装置を係止することができる。
【００１０】
本発明の請求項３に記載の商品陳列棚における照明装置は、請求項２に記載の商品陳列棚における照明装置であって、
前記左右一対のブラケットの上端縁に、前記係止部を各々嵌合する凹部を形成したことを特徴としている。
この特徴によれば、左右一対のブラケットに対する後部照明装置の前後方向の取付位置を簡単に決めることができるばかりか、棚板を傾斜させた場合でも、左右一対のブラケットに対する後部照明装置の移動を防止することができる。
【００１１】
本発明の請求項４に記載の商品陳列棚における照明装置は、請求項１ないし３のいずれかに記載の商品陳列棚における照明装置であって、
前記後部照明装置の上面と前記棚板の下面との間に隙間を設けたことを特徴としている。
この特徴によれば、後部照明装置の放熱効果が向上するため、熱による発光ダイオードの劣化が防止されるとともに、熱が直接商品陳列棚に伝導することがないため、商品陳列棚に載置された商品の冷却に支障をきたす虞がない。
【発明を実施するための最良の形態】
【００１２】
本発明の実施例を以下に説明する。
【実施例】
【００１３】
本発明の実施例を図面に基づいて説明すると、先ず図１は、本発明の実施例における冷凍冷蔵ショーケースの全体像を示す側断面図である。図２は、冷凍冷蔵ショーケースにおける前部照明装置を示す下面図である。図３（ａ）、（ｂ）は、前部照明装置の回動した状態を示す側断面図である。図４は、冷凍冷蔵ショーケースにおける後部照明装置を示す斜視図である。図５は、後部照明装置を示す正面図である。図６は、後部照明装置の取付状態を示す斜視図である。以下、本実施例の説明において、図１の紙面左側を冷凍冷蔵ショーケース１の前側（前方）、手前側を冷凍冷蔵ショーケース１の右側、奥行き側を冷凍冷蔵ショーケース１の左側、右側を冷凍冷蔵ショーケース１の後側（後方）として説明する。
【００１４】
図１に示されるように、商品陳列棚としての冷凍冷蔵ショーケース１は、主に商店やスーパーマーケットやコンビニエンスストア等の食品等を取り扱う販売店舗に設置され、商品を低温に保ったまま保冷、または冷凍した状態で陳列するために設置されるオープンショーケースであり、正面側を開口した内箱３により囲まれた冷蔵室５には、商品を陳列する棚板６が上下方向に複数設置され、下部に設けられた底板３ｂにも商品（図示省略）を陳列可能になっており、商品を多数載置可能な構成となっている。
【００１５】
冷凍冷蔵ショーケース１は、前面（図の左方）が開放された略コ字形をなす断熱構造の外箱２と、その内方の、同じく前面が開放された略コ字形の内箱３とからなるケース本体を備え、その内部空間は冷蔵室５となっている。内箱３の背面板３ａには、上下複数段の棚板６の後端が取り付けられ、この各棚板６と内箱３の底板３ｂとの上面に、商品（図示略）が陳列されるようになっている。
【００１６】
外箱２と内箱３との間には、通風路７が形成され、この通風路７の垂直部と底部には、それぞれ冷却装置８と送風機９が設置されている。ケース本体の上部の前端には、通風路７と連通する冷気吹出口１０が下向きに形成され、またケース本体の前端下部の上端において外箱２と内箱３との間には、上方に開口する冷気の吸込口１１が形成されている。
【００１７】
送風機９を作動させると、冷却装置８により冷却された冷気は、矢印のように、通風路７内を上方に向かって流れ、冷気吹出口１０より、下方の吸込口１１に向かって吹き出される。これにより、ケース本体の前面の開放面に冷気のエアカーテン１２が形成されるとともに、その冷気の一部が冷蔵室５内に流入することにより、陳列商品が保冷されるようになる。
【００１８】
次に、冷凍冷蔵ショーケース１における照明装置について説明すると、各棚板６の下面側前部に夫々設けられ、各棚板６下方の棚板６上面に載置する商品陳列スペースＳを照明する棚用の前部照明装置１４と、各棚板６の下面側における前部照明装置１４の後方に配設され、その下方の商品陳列スペースＳを照明する棚用の後部照明装置４４と、キャノピー１３の下面に設けられ、前部照明装置１４よりも強い光を照射するキャノピー用の照明装置１５と、前部照明装置１４の上方に設けられたインナー用の照明装置１６とが、冷凍冷蔵ショーケース１の適所に取り付けられている。
【００１９】
図２及び図３（ａ）、（ｂ）に示されるように、棚用の前部照明装置１４について詳しく説明すると、先ず各棚板６は、図示しない商品を上面に載置するように平板状に形成された平板部６ａと、平板部６ａの前側に連続して下方に向けて略直角に屈曲し、更に連続して後方に向けて略直角に屈曲した屈曲部６ｂと、から成り、下方が開口する側断面視略下向きコ字形状に形成されている。また、各棚板６を支持するブラケット１７及び補強板１８と、棚板６の前面で商品の価格等を表示する表示板１９と、が棚板６の周辺に構成されている。
【００２０】
より具体的には、左右一対のブラケット１７は、各棚板６の左右両端部に配置され、棚板６の下面左右両端部において棚板６を支持するように、背面板３ａに固定に取り付けられて前後方向に延びている。補強板１８は、側面視上方に向けて開口する略Ｖ字状に屈曲し、棚板６下面前側において取り付けられ、商品を載置して荷重の掛かった棚板６を支持可能に設けられている。更に、表示板１９は、後部に形成された嵌合部１９ａが棚板６の屈曲部６ｂに嵌合して取り付けられ、例えば棚板６に載置する商品の商品名や価格等の情報を表示できるようになっている。
【００２１】
次に、棚用の前部照明装置１４は、側面視下方に開口する略コ字形状の照明ケースとしてのアルミケース２３と、アルミケース２３内部に収容された基板２４、ＬＥＤ２５、反射板２７と、アルミケース２３内部を被覆するように取り付けられたグレア２６と、から主として構成されており、各棚板６の下面前部に左右幅方向に沿って設けられている。
【００２２】
より具体的には、前部照明装置１４を構成するアルミケース２３の内部に装着された基板２４に、左右幅方向に所定間隔おきにＬＥＤ２５が点在して設けられている。また、ＬＥＤ２５の近傍、すなわち基板２４の前面に左右幅方向に取り付けられた反射板２７は、固定ねじ２１で基板２４に取り付けられるとともに、前後辺がアルミケース２３の内壁に形成された係合溝２３ａに係合され、下方に向けて内曲面に形成されている。更に、グレア２６は、透光性を有する平板形状であって、アルミケース２３の開口端に形成された凹溝２３ｂに嵌合しており、アルミケース２３内部に収容したＬＥＤ２５等を保護している。また、アルミケース２３の外面には、複数の突起部からなるフィンを備えたラジエータ２３ｃが設けられており、ＬＥＤ２５の照光によりアルミケース２３に発生する熱を放熱できるようになっている。尚、照明ケースとして、必ずしもアルミケースを採用する必要はなく、他の材質の金属若しくは樹脂等からなるケースであってもよい。
【００２３】
上述のように前部照明装置１４は、アルミケース２３及びアルミケース２３に収容したＬＥＤ２５等の構成部材からなっており、前部照明装置１４の上下方向寸法Ｂとは、すなわちアルミケース２３の上下方向寸法のことであり、この上下方向寸法Ｂは、棚板６の上下方向寸法Ａよりも短寸に形成されている。
【００２４】
次に、前部照明装置１４の棚板６への取り付けについて説明する。前部照明装置１４は、棚板６下面前部、すなわち補強板１８の前側において、後述のように棚板６に対し所定に傾斜した状態で取り付けられている。
【００２５】
より具体的には、ＬＥＤ２５等を収容したアルミケース２３の左右両端を塞ぐ塞ぎ材３２が、固定ねじ３０により取り付けられ、また、補強板１８に固定ねじ２０により固着された支持板２２が、塞ぎ材３２に近接して沿うように前方に向かって延設されるとともに、上部に形成された当接部２２ｂが棚板６の平板部６ａ下面に当接している。そして、塞ぎ材３２に形成された挿通孔３２ａと、この挿通孔３２ａと略同径に支持板２２に形成された挿通孔２２ａとに、円筒状の軸体３３を棚板６の左右幅方向に挿通する。
【００２６】
すなわち、前部照明装置１４は、補強板１８を介して棚板６に設けた支持板２２に、棚板６の幅方向に整列したＬＥＤ２５の中心線と一致した仮想の回動軸Ｄ上にある軸体３３を介して装着され、ＬＥＤ２５の照光方向が後下方を向くように傾斜して、且つ、この軸体３３周りに回動可能に設けられている。詳しくは、前部照明装置１４は、図３（ａ）に示されるように、アルミケース２３の外面が、補強板１８の取付部１８ａに当接してＬＥＤ２５からの照光方向がもっとも後方側を向く状態と、図３（ｂ）に示されるように、アルミケース２３の外面が、表示板１９の嵌合部１９ａに当接してＬＥＤ２５からの照光方向がもっとも前方側を向く状態との間を回動可能に設けられている。
【００２７】
このようにすることで、前部照明装置１４を取り付ける部品点数を少なくして、前部照明装置１４の棚板６への取り付け手間や取り付け時間を省き、且つ、前部照明装置１４を軸体３３周りに回動可能に設けることで、棚板６下方の商品陳列スペースＳを広範囲に照らすことができる。
【００２８】
このように、前部照明装置１４を軸体３３の中心を通る仮想の回動軸Ｄ周りに適宜回動させることで、前部照明装置１４の照明範囲の自由度を高めることができる。
【００２９】
本実施例では、上述のように棚板６の上下方向寸法Ａよりも小なる上下方向寸法Ｂを有した前部照明装置１４を、ＬＥＤ２５の照光方向が後下方を向くように傾斜させて設けている。このようにすることで、ＬＥＤ２５を配設した前部照明装置１４が、棚板６の下面より突出する突出部分を小さく抑えることができるため、棚板６下方の商品陳列スペースＳへの商品の出し入れの邪魔になることがなく、且つ、下方の商品陳列スペースＳ全体を広範囲に照らすことができる。
【００３０】
また、軸体３３には、両端が内部で連通する挿通孔３３ａが穿設されており、各ＬＥＤ２５に接続され電力を供給する電源ケーブル３４が、この挿通孔３３ａに挿通されている。このようにすることで、支持板２２に対して前部照明装置１４を回動させた場合でも、ほとんど位置が変わることのない軸体３３の挿通孔３３ａに挿通した電源ケーブル３４が捻れることがないため、電源ケーブル３４の破損や漏電を防止できる。
【００３１】
更に、支持板２２に、軸体３３の挿通孔３３ａを外方から被覆するように形成された保護カバー３１が取り付けられており、このようにすることで、軸体３３の挿通孔３３ａに挿通した電源ケーブル３４を、挿通孔３３ａを被覆するように形成された保護カバー３１により保護することができる。
【００３２】
尚、軸体３３は、必ずしも前部照明装置１４の幅方向の両端部に設けられている必要はなく、照明装置は、幅方向の一端側のみに設けられた一つの軸体周りに回動可能に設けられたものであってもよい。
【００３３】
次に、前部照明装置１４による照明について説明する。
【００３４】
図３（ａ）、（ｂ）に示されるように、アルミケース２３に収容されたＬＥＤ２５からは、直進性の大きい光が照射されており、ＬＥＤ２５から照射される光は、側面視で光の仮想の中心軸Ｃにおいて最も強く、この中心軸Ｃから所定の光の広がり角度θ１、θ２で広がるにつれて弱くなる傾向を有する。
【００３５】
上述のように前部照明装置１４を傾斜することにより、ＬＥＤ２５からの光の中心軸Ｃを後下方に向け、且つ、ＬＥＤ２５を取り付けたアルミケース２３の側面視形状を僅かに左右非対称形状にすることにより、中心軸Ｃからの光の広がり角度を、中心軸から前方側の光の広がり角度θ１よりも、中心軸から後方側の光の広がり角度θ２を小さく形成している。具体的には、中心軸から前方側の光の広がり角度θ１を略４５度とし、中心軸から後方側の光の広がり角度θ２を、４５度よりも小さい略３８度としている。
【００３６】
このようにすることで、棚板６の下面前部に設けた前部照明装置１４から比較的距離の近い棚板６下方の商品陳列スペースＳの手前側へは、前部照明装置１４から比較的小さい光束の光が照射され、前部照明装置１４から比較的距離の遠い棚板６下方の商品陳列スペースＳの奥側へは、前部照明装置１４から比較的大きい光束の光が照射されるため、前部照明装置１４が棚板６下方の商品陳列スペースＳの全体を均一に、且つ、広範囲に照らすことができる。
【００３７】
また、照明ケースとしてのアルミケース２３の形状を利用して、光の広がり角度θ１、θ２を容易に設定することができる。
【００３８】
尚、中心軸Ｃからの光の広がり角度θ１、θ２は、中心軸Ｃから前方側の光の広がり角度θ１よりも、中心軸Ｃから後方側の光の広がり角度θ２を小さく形成されていれば、必ずしも中心軸Ｃから前方側の光の広がり角度θ１を略４５度とし、中心軸から後方側の光の広がり角度θ２を略３８度とする必要はなく、何度であってもよい。
【００３９】
更に、ＬＥＤ２５の近傍に光を反射する反射板２７を設けており、ＬＥＤ２５から直進する光の一部は、反射板２７により反射されて棚板６下方の商品陳列スペースＳに向かって照射される。このように、反射板２７を設けるだけの簡単な構成で、直進性の大きなＬＥＤ２５からの光を所要範囲に亘って拡散させることができる。
【００４０】
次に、後部照明装置４４について説明する。本実施例の後部照明装置４４は、複数のＬＥＤが左右方向に配設された前部照明装置１４の構造と略同構造になっているため、同様の構成部位には同一の符号を付すことでここでの詳細な説明は省略することとする。
【００４１】
図４に示されるように、後部照明装置４４の左右両端には、左右一対のブラケット１７，１７に係止するための係止部材４１，４１が、後部照明装置４４の左右両端を形成する側端部４４ａに形成された取付穴にネジ４８を螺合して取り付けられる。
【００４２】
図５に示されるように、係止部を構成する係止部材４１は、例えば金属板用により、水平方向を向く上板４１ａと、該上板４１ａの内側端部から垂下される内側板４１ｂと、該上板４１ａの外側端部から垂下される外側板４１ｃと、から正面視下向き略コ字形に形成され、その上板４１ａが後部照明装置４４の上面に位置するラジエータ５３ｃよりも上方側に延びるように取り付けられている。内側板４１ｂには、後部照明装置４４に備えられたＬＥＤ（発光ダイオード）に接続される電力を供給する電源ケーブル４９を挿通する挿通孔が形成され、該挿通孔を介して内部から外部に向けて電源ケーブル４９が挿通される。
【００４３】
図６に示されるように、ブラケット１７，１７の上端縁１７ａ，１７ａには、係止部材４１，４１を取付自在に嵌合する凹部としての係合溝１７ｂ，１７ｂが形成されており、係止部材４１，４１の上板４１ａ，４１ａを係合溝１７ｂ，１７ｂに係止することで、後部照明装置４４がブラケット１７，１７に取り付けられる。
【００４４】
図５に示されるように、左右の係止部材４１，４１を左右のブラケット１７，１７の係合溝１７ｂに係止した状態において、ブラケット１７の上方に配置された棚板６の平板部６ａの下面と後部照明装置４４の上面（ラジエータ５３ｃ）との間に隙間が設けられるようになっている。このため、後部照明装置４４の放熱効果が向上するため、熱によるＬＥＤの劣化が防止されるとともに、熱が直接棚板６に伝導することがないため、棚板６に載置された商品の冷却に支障をきたす虞がない。
【００４５】
さらに、ブラケット１７，１７の内側面と内側板４１ａの外面との間にもスペースが形成されるため、電源ケーブル４９等をブラケット１７に干渉させることなく挿通できるばかりか、側方にも放熱用空間が形成されることになるため、放熱効果がより高まる。
【００４６】
また、本実施例では、係合溝１７ｂの溝深さは、係止部材４１，４１の上板４１ａの肉厚よりも長寸となっていることで、係止部材４１の上板４１ａ上面がブラケット１７の上端縁１７ａよりも上方に突出することがないので、棚板６の載置に支障をきたすことがないばかりか、係合溝１７ｂとの係合により、棚板６を所定角度傾斜させた場合でもブラケット１７に対する後部照明装置４４の移動を防止することができるようになっている。また、左右の係止部材４１，４１の外側板４１ｃ，４１ｃがブラケット１７，１７の外面側に配置されることで、後部照明装置４４の左右方向の移動も規制される。
【００４７】
以上に説明したように、本実施例の後部照明装置４４は、棚板６の下面における前部照明装置１４の後方に、複数のＬＥＤを左右方向に配設した後部照明装置４４を、後部照明装置４４の左右両端から外向きに設けた係止部としての係止部材４１，４１を、左右一対のブラケット１７，１７に係止することにより取り付けることができるため、前部照明装置１４のみでは暗くなってしまう前部照明装置１４の後方側の商品陳列スペースＳを明るくすることができ、後部照明装置４４により商品陳列スペースＳ全体を広範囲に照らすことができる。
【００４８】
また、後部照明装置４４の左右両端から外向きに設けた係止部としての係止部材４１，４１を、棚板６を支持する左右一対のブラケット１７，１７に係止するだけで、既存の棚板６等にも簡単に、かつ、左右一対のブラケット１７，１７間にコンパクトに後部照明装置４４を取り付けることができる。さらに、ＬＥＤ（発光ダイオード）を使用することで後部照明装置自体の上下寸法を、蛍光灯等の他の照明装置に比べて薄くすることができるため、下方の商品陳列スペースに極力影響することなく配置できるばかりか、省電化を図ることができる。
【００４９】
また、係止部材４１，４１は、ブラケット１７，１７の上端縁１７ａ，１７ａ（係合溝１７ｂ，１７ｂ）に取り外し自在に係止する構造になっているため、係止部材４１，４１の上板４１ａ，４１ａをブラケット１７，１７の上端縁１７ａ，１７ａに係止するだけで、簡単に後部照明装置４４を設置することができるばかりか、前部照明装置１４の後方側の商品陳列スペースＳに照明の必要の有無に応じて、後部照明装置４４の取付・取り外しを行なうことができる。
【００５０】
また、ブラケット１７，１７の上端縁１７ａ，１７ａに、係止部材４１，４１を各々嵌合する係合溝１７ｂ，１７ｂが形成されているため、ブラケット１７，１７の係合溝１７ｂ，１７ｂに係止部材４１，４１の上板４１ａ，４１ａを簡単に係止することができ、この係止により、ブラケット１７，１７に対して後部照明装置４４の取付位置を簡単に決めることができ、かつ棚板６を傾斜させた場合でもブラケット１７，１７に対する後部照明装置４４の移動を防止することができる。
【００５１】
以上、本発明の実施例を図面により説明してきたが、具体的な構成はこれら実施例に限られるものではなく、本発明の要旨を逸脱しない範囲における変更や追加があっても本発明に含まれる。
【００５２】
例えば、上記実施例では、商品陳列棚として冷凍冷蔵ショーケース１に照明装置を適用した例で説明したが、照明装置は、一般の商品陳列棚にも適用可能である。
【００５３】
また、上記実施例では、係止部材４１，４１がブラケット１７，１７の上端縁１７ａ，１７ａに形成された係合溝１７ｂ，１７ｂに係止されているが、例えばブラケット１７，１７に係止部材４１，４１が係止可能な係止穴等を形成してもよいし、ブラケット１７，１７の内面等に、係止部材４１，４１が係止される被係止部を別途設けてもよい。
【００５４】
また、上記実施例では、前部照明装置１４にＬＥＤ２５が適用されているが、前部照明装置１４を蛍光灯や電球等の照明手段に適用したものでもよい。
【００５５】
また、上記実施例では、ＬＥＤ２５の光の中心軸Ｃからの光の広がり角度を、照明ケースとしてのアルミケース２３により設定しているが、光の広がり角度を照明ケースにより設定していなくともよい。
【００５６】
また、上記実施例では、ＬＥＤ２５の近傍に光を反射する反射板２７が設けられているが、反射板は特段に設けられていなくても構わない。また、照明装置を回動可能とする軸体は、必ずしも整列したＬＥＤの中心軸線と一致した回動軸Ｄ上に無くても構わない。
【００５７】
更に、上記実施例では、軸体３３に挿通孔３３ａが穿設されており、この挿通孔３３ａに電源ケーブル３４が挿通されているが、例えば、塞ぎ材３２、支持板２２に特段に設けた孔部に電源ケーブルを挿通させてもよい。更に、保護カバー３１は、特段に設けられていなくても構わない。
【００５８】
また、上記実施例では、ＬＥＤ２５の光の中心軸Ｃからの光の広がり角度を、中心軸Ｃから前方側の光の広がり角度θ１よりも、中心軸Ｃから後方側の光の広がり角度θ２を小さく形成しているが、例えば、前方側の光の広がり角度と後方側の光の広がり角度とが略同じ角度であってもよい。
【００５９】
また、上記実施例では、前部照明装置１４が、棚板６に対して軸体３３周りに回動可能に設けられているが、照明装置は、ＬＥＤの照光方向が後下方を向くように傾斜して設けられていれば、例えば棚板６に対して回動不能に固定に設けられていてもよい。
【図面の簡単な説明】
【００６０】
【図１】本発明の実施例における冷凍冷蔵ショーケースの全体像を示す側断面図である。
【図２】冷凍冷蔵ショーケースにおける前部照明装置を示す下面図である。
【図３】（ａ）、（ｂ）は、前部照明装置の回動した状態を示す側断面図である。
【図４】冷凍冷蔵ショーケースにおける後部照明装置を示す斜視図である。
【図５】後部照明装置を示す正面図である。
【図６】後部照明装置の取付状態を示す斜視図である。
【符号の説明】
【００６１】
１                冷凍冷蔵ショーケース（商品陳列棚）
６                棚板
１４              前部照明装置
１７              ブラケット
１７ａ            上端縁
１７ｂ            係合溝（凹部）
４１              係止部
４４              後部照明装置
５３ｃ            ラジエータ（後部照明装置の上面）
【図１】
2009240382.tif 000003
【図２】
2009240382.tif 000004
【図３】
2009240382.tif 000005
【図４】
2009240382.tif 000006
【図５】
2009240382.tif 000007
【図６】
2009240382.tif 000008